(57)【特許請求の範囲】
【請求項１】
回転して土壌を耕耘する回転ブレードを有する耕耘機に取り付けるための耕耘ユニットであって、
一端が、前記回転ブレードが固定される軸の端部に固定される回転軸と、
前記回転軸において、前記回転ブレードに対する近端部に位置する第１支持部に支持される第１ブレードと、
前記回転軸において、前記回転ブレードに対する遠端部に位置する第２支持部に支持される第２ブレードと、
を備え、
前記第１ブレードは、前記遠端部の方向に延び、前記近端部から前記遠端部に向かって前記回転軸との距離が短くなるように設けられる複数の第１ブレード部を備え、
前記第２ブレードは、前記近端部の方向に延び、前記近端部から前記遠端部に向かって前記回転軸との距離が短くなるように設けられる複数の第２ブレード部を備える、
ロータを有する耕耘ユニット。
【請求項２】
前記ロータに対して、前記耕耘機の進行方向後方に配置され、
前記ロータから前記耕耘機の進行方向後方に離れれば離れるほど、前記回転ブレードの前記近端部から前記遠端部の方向に向かうように設けられる整地板を備える請求項１に記載の耕耘ユニット。
【請求項３】
前記整地板は、前記耕耘機の既存の整地板に取り付けられる請求項２に記載の耕耘ユニット。
【請求項４】
前記第１ブレード部の数と前記第２ブレード部の数とは同じであり、前記第１ブレードと前記第２ブレードとは一体である請求項１〜３のいずれか１項に記載の耕耘ユニット。
【発明の詳細な説明】
【技術分野】
【０００１】
本発明は、耕耘ユニットに関する。
【背景技術】
【０００２】
耕耘機は、主として土を耕す機能と、雑草などを除去する機能を有している。耕耘機を用いることで、効率よく田畑の土を耕すとともに雑草を除去する耕耘を行うことができる。この種の耕耘機では、回転軸に取り付けられたブレードが上記機能を担っている。
【０００３】
耕耘機は、ほぼ平らな土壌の耕耘に主として用いられる。そのため、ブレードによって耕される土壌は、主に耕耘機の下方の土壌に限られる。したがって、従来の耕耘機は、例えば幾条もの畝が形成された畑などの土壌を耕したり、除草したりするのには不向きなものであった。そこで、畝と畝の間の耕耘に適した耕耘機が提案されるに至っている。（例えば、特許文献１参照）
【先行技術文献】
【特許文献】
【０００４】
【特許文献１】特開２００７−１４３５１０号公報
【発明の概要】
【発明が解決しようとする課題】
【０００５】
特許文献１に開示された装置によれば、畝の側面の耕耘が可能となるという利点がある。しかしながら、上記装置では、耕耘機のユーザによってブレードのサイズや大きさをカスタマイズするのが困難である。
【０００６】
本発明は、上述の事情の下になされたもので、既存の耕耘機を、ユーザの要求に応じてカスタマイズすることを目的とする。
【課題を解決するための手段】
【０００７】
上記課題を解決するため、本実施形態に係る耕耘ユニットは、回転して土壌を耕耘する回転ブレードを有する耕耘機に取り付けるための耕耘ユニットであって、一端が、前記回転ブレードが固定される軸の端部に固定される回転軸と、前記回転軸において、前記回転ブレードに対する近端部に位置する第１支持部に支持される第１ブレードと、前記回転軸において、前記回転ブレードに対する遠端部に位置する第２支持部に支持される第２ブレードと、を備え、前記第１ブレードは、前記遠端部の方向に延び、前記近端部から前記遠端部に向かって前記回転軸との距離が短くなるように設けられる複数の第１ブレード部を備え、前記第２ブレードは、前記近端部の方向に延び、前記近端部から前記遠端部に向かって前記回転軸との距離が短くなるように設けられる複数の第２ブレード部を備える、ロータを有する。
【発明の効果】
【０００８】
本発明によれば、既存の耕耘機にロータを取り付けることで、既存の耕耘機をユーザの要求に応じてカスタマイズすることができる。
【図面の簡単な説明】
【０００９】
【図１】本実施形態に係るロータの斜視図である
【図２】ロータとともに用いられる整地板の斜視図である。
【図３】除草ユニットが取り付けられる前の耕耘機を示す図である。
【図４】除草ユニットが取り付けられた後の耕耘機を示す図である。
【図５】耕耘機のシャフトに固定されたロータを示す図である。
【図６】既存の整地板に固定された本実施形態の整地板を示す図である。
【図７】既存の整地板に固定された本実施形態の整地板５０を−Ｙ側から見た図である。
【図８】本実施形態のロータの効果を説明するための図である。
【図９】本実施形態の整地板の効果を説明するための図である。
【図１０】ロータの変形例を説明するための図である。
【図１１】ロータの変形例を説明するための図である。
【発明を実施するための形態】
【００１０】
以下、本発明の実施形態を図面に基づいて説明する。実施形態の説明にあたっては、相互に直交するＸ軸、Ｙ軸、Ｚ軸からなる直交座標系を適宜用いる。
【００１１】
図１は、本実施形態に係るロータ１０の斜視図である。ロータ１０は、主として畑の畝の除草をするための装置である。図１に示されるように、ロータ１０は、軸２０と、軸２０の端部にそれぞれ固定されるブレード３０，４０の３部分から構成される。
【００１２】
軸２０は、例えば鉄などの金属からなり、長手方向をＺ軸方向とする円柱状の部材である。軸２０の直径や長さ（Ｚ軸方向の寸法）は、除草対象となる畑の畝の高ささや、畑の耕耘に用いられる耕耘機の大きさや仕様によって規定される。
【００１３】
ブレード３０は、軸２０の下端（−Ｚ側端）に固定される部材である。ブレード３０も、軸２０と同様に、鉄などの金属を素材とする部材である。ブレード３０は、軸２０の下端に固定されるＹ字状の支持部３１と、支持部３１の３つの端部から上方（＋Ｚ方向）に延びる３つのブレード部３２から構成される。ブレード部３２は、軸２０との距離が上方へ向かうにつれて短くなるように形成されている。ブレード３０は、例えば厚さが数ミリの金属鋼板を板金加工することにより形成することができる。
【００１４】
ブレード４０は、軸２０の上端（＋Ｚ側端）に固定される部材である。ブレード４０も、ブレード３０と同様に、鉄などの金属を素材とする部材である。ブレード４０は、軸２０の上端に固定されるＹ字状の支持部４１と、支持部４１の３つの端部から下方（−Ｚ方向）に延びる３つのブレード部４２から構成される。ブレード部４２は、軸２０との距離が下方へ向かうにつれて長くなるように形成されている。ブレード４０も、ブレード３０と同様に、例えば厚さが数ミリの金属鋼板を板金加工することにより形成することができる。
【００１５】
上述の軸２０、及びブレード３０，４０は、軸２０の下端に、ブレード３０を構成する支持部３１の中央が溶接により固定され、軸２０の上端に、ブレード４０を構成する支持部４１の中央が溶接により固定されることで一体化される。これにより、ロータ１０が組み立てられる。
【００１６】
図２は、ロータ１０とともに用いられる整地板５０の斜視図である。整地板５０は、例えば樹脂などからなる長方形板状の部材である。図２に示されるように、整地板５０は、Ｘ軸に平行な線分を母線とし、＋Ｙ方向に凸となるように湾曲している。整地板５０には、２つの円形開口５１が形成されている。
【００１７】
上記ロータ１０と整地板５０は、除草ユニットとして、耕耘機に取り付けられる。図３は、除草ユニットが取り付けられる前の耕耘機１００を示す図である。この耕耘機１００を、白抜き矢印に示される方向へ走行させることで、走行経路上の土壌を耕耘することができる。耕耘機１００は、Ｘ軸に平行なシャフト１１０を中心に回転する回転ブレード１２０と、耕耘された土壌をならすための整地板１３０を有している。耕耘機１００のユーザは、耕耘機１００のハンドル１０１を操作して、回転ブレード１２０を回転させることで、耕耘機１００を走行させることができる。これにより、土壌が耕耘される。
【００１８】
図４は、除草ユニットが取り付けられた後の耕耘機１００を示す図である。図４に示されるように、上述したロータ１０は、シャフト１１０に固定され、整地板５０は、既存の整地板１３０に固定される。
【００１９】
図５は、シャフト１１０に固定されたロータ１０を示す図である。図１０に示されるように、ロータ１０は、軸２０の中心軸とシャフト１１０の中心軸とが、Ｘ軸に平行な直線Ｌと一致した状態で、シャフト１１０の＋Ｘ側端に接続される。また、シャフト１１０の−Ｘ側端にも、同様にロータ１０が接続される。シャフト１１０とロータ１０との接続は、例えばシャフト１１０にロータを溶接することにより行う。
【００２０】
図６は、既存の整地板１３０に固定された整地板５０を示す図である。整地板５０は、円形開口５１に挿入されたボルト５５などを用いて、整地板１３０に固定されている。図７は、既存の整地板１３０に固定された整地板５０を、−Ｙ側から見た図である。図７に示されるように、整地板１３０に固定された整地板５０は、ＹＺ面に対して傾斜した状態で配置される。
【００２１】
上述したようにロータ１０が取り付けられた耕耘機１００を畑の畝の間に配置すると、図８に示されるように、畝と畝の間に既存の回転ブレード１２０が位置し、畝の側面にロータ１０が位置する。このため、耕耘機１００のシャフト１１０が回転すると、回転ブレード１２０によって、畝と畝の間の土壌の耕耘が行われ、ロータ１０によって畝の側面の耕耘が行われる。これにより、２つの畝の側面とその間の土壌の除草が行われる。
【００２２】
また、図９に示されるように、ロータ１０の後方には整地板５０が配置される。上述の要領で畝の側面が耕耘された際には、ロータ１０によって後方へ土が排出される。この土は、整地板５０によって畝に沿って整えられる。これにより、畝側面の土壌の整地が行われる。
【００２３】
以上説明したように、本実施形態に係るロータ１０と整地板５０を有する耕耘ユニットによれば、ロータ１０を既存の耕耘機に取り付けることで、ユーザの要求に応じて、既存の耕耘機をカスタマイズすることができる。その際には、耕耘対象となる畑の畝の配置間隔や、畝の高さや形状に応じた大きさのロータ１０を選択することで、耕耘対象に応じた効率のよい耕耘が可能になる。また、整地板５０を既存の耕耘機に取り付けることで、畝の側面の整地を行うことが可能になる。
【００２４】
以上、本実施形態について説明したが、本実施形態は上記実施形態によって限定されるものではない。例えば、上記実施形態では、ロータ１０のブレード３０が３つのブレード部３２を有する場合について説明した。これに限らず、ブレード３０は、２つ或いは、４つ以上のブレード部を有していてもよい。同様に、ブレード４０は、２つ或いは、４つ以上のブレード部４２を有していてもよい。
【００２５】
上記実施形態では、ブレード３０とブレード４０とが別々になっている場合について説明した。これに限らず、図１０に示されるように、ロータ１０は、ブレード３０とブレード４０とが、一体となったブレード４５を有していてもよい。
【００２６】
上記実施形態では、耕耘機１００のシャフト１１０にロータ１０を取り付ける際には、ロータ１０をシャフト１１０に直接溶接することとした。これに限らず、ロータ１０をシャフト１１０に対して着脱自在に装着することとしてもよい。例えば、図１１に示されるように、ロータ１０の軸２０の一端におねじ部２０ａを設ける。また、おねじ部２０ａと螺合するめねじ部４８ａが形成された接続部材４８を、シャフト１１０に溶接する。そして、ロータ１０をシャフト１１０に装着する際には、接続部材４８にロータ１０をねじ込むことにより、ロータ１０をシャフト１１０に固定する。このようにして、着脱自在にロータ１０をシャフト１１０に装着すれば、畑の畝の状態に応じて種々のロータ１０を使い分けることが可能となる。
【００２７】
以上、本発明の実施形態を説明したが、これらの実施形態は、例として提示したものであり、発明の範囲を限定することは意図していない。これら新規な実施形態は、その他の様々な形態で実施しうるものであり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００２８】
１０  ロータ
２０  軸
２０ａ  おねじ部
３０，４０，４５  ブレード
３１，４１  支持部
３２，４２  ブレード部
４８  接続部材
４８ａ  めねじ部
５０  整地板
５１  円形開口
５５  ボルト
１００  耕耘機
１０１  ハンドル
１１０  シャフト
１２０  回転ブレード
１３０  整地板
【図１】
0006734513.tif 000002
【図２】
0006734513.tif 000003
【図３】
0006734513.tif 000004
【図４】
0006734513.tif 000005
【図５】
0006734513.tif 000006
【図６】
0006734513.tif 000007
【図７】
0006734513.tif 000008
【図８】
0006734513.tif 000009
【図９】
0006734513.tif 000010
【図１０】
0006734513.tif 000011
【図１１】
0006734513.tif 000012